(57)【要約】【課題】  携帯電話機の電源電池が切れた場合に、電池を充電しなくても外部から電話帳、発着信履歴等の情報を読み取ることができるようにする。【解決手段】  記憶部７には、電話帳や発着信履歴等の所定の情報が記憶される。制御部４は、バッテリ監視部１０で監視されるバッテリ１１の電圧と閾値とを比較する。バッテリ電圧が閾値より低くなると、記憶部７より所定情報を読み出してRFID部５に書き込む。この読み出し、書き込みに要する電力はバッテリ１１の残量電力が利用される。次に、リーダ２００を操作すると、無線通信部２２よりアンテナ２１を介して電波が発信され、携帯電話機１００のアンテナ６で受信される。これによりRFID部5に電力が発生し、RFID部5はこの電力を利用して記憶されている情報をリーダ２００のアンテナ２１へと送信する。制御部２３はこの情報を表示部２６へ表示する。【選択図】        図１
2005217621.tif 000002
【特許請求の範囲】
【請求項１】
通常動作時に所定の情報を記憶する第１の記憶手段と、
着脱可能な不揮発性の第２の記憶手段と、
電池の残量を検出する検出手段と、
電池残量が所定値より低いことが検出された場合、前記第１の記憶手段に記憶されている所定の情報を前記第２の記憶手段に記憶させる制御手段と、を備えたことを特徴とする携帯通信端末。
【請求項２】
通常動作時に所定の情報を記憶する第１の記憶手段と、
記憶した情報を非接触通信により読み出せる第２の記憶手段と、
電池の残量を検出する検出手段と、
電池残量が所定値より低いことが検出された場合、前記第１の記憶手段に記憶されている所定の情報を前記第２の記憶手段に記憶させる制御手段と、を備えたことを特徴とする携帯通信端末。
【請求項３】
前記所定の情報は、電話帳情報であることを特徴とする請求項１又は２記載の携帯通信端末。
【請求項４】
前記所定の情報は、発着信履歴情報であることを特徴とする請求項１又は２記載の携帯通信端末。
【請求項５】
前記第２の記憶手段は、RFIDであることを特徴とする請求項１又は２記載の携帯通信端末。
【請求項６】
通常動作時に所定の情報を記憶する第１の記憶手段と、記憶した情報を非接触通信により読み出せる第２の記憶手段と、電池の残量を検出する検出手段と、電池残量が所定値より低いことが検出された場合、前記第１の記憶手段に記憶されている所定の情報を前記第２の記憶手段に記憶させる制御手段と、を備えた携帯通信端末と、
前記第２の記憶手段に記憶されている所定の情報を非接触通信により取得する取得手段と、該取得手段により取得した所定の情報に基づいて発信処理をする通信手段と、を備えた通信装置と
から構成される通信システム。
【請求項７】
通常動作時に所定の情報を記憶する第１の記憶手段と、
着脱可能な不揮発性の第２の記憶手段と、
発信又は着信を検出する検出手段と、
前記検出手段が発信又は着信を検出した場合、前記第１の記憶手段に記憶されている所定の情報を前記第２の記憶手段に記憶させる制御手段と、を備えたことを特徴とする携帯通信端末。
【請求項８】
通常動作時に所定の情報を記憶する第１の記憶手段と、
記憶された情報を非接触通信により読み出せる第２の記憶手段と、
発信又は着信を検出する検出手段と、
前記検出手段が発信又は着信を検出した場合、前記第１の記憶手段に記憶されている所定の情報を第２の記憶手段に記憶させる制御手段と、を備えたことを特徴とする携帯通信端末。
【請求項９】
前記所定の情報は、発着信履歴情報であることを特徴とする請求項７又は８記載の携帯通信端末。
【請求項１０】
前記検出手段が発信又は着信を検出する毎に前記第１の記憶手段に記憶されている情報の発信又は着信頻度を更新する更新手段を備え、
前記制御手段は、前記発信又は着信頻度の高い情報を前記第２の記憶手段に記憶させることを特徴とする請求項７又は８記載の携帯通信端末。
【請求項１１】
通常動作時に所定の情報を記憶する第１の記憶手段と、記憶した情報を非接触通信により読み出せる第２の記憶手段と、発信又は着信を検出する検出手段と、該検出手段が発信又は着信を検出した場合、第１の記憶手段に記憶されている所定の情報を第２の記憶手段に記憶させる制御手段と、を備えた携帯通信端末と、
非接触通信により前記第２の記憶手段に記憶されている所定の情報を取得する取得手段と、該取得手段により取得した所定の情報に基づいて発信処理をする通信手段と、を備えた通信装置とから構成される通信システム。
【請求項１２】
通常動作時に所定の情報を記憶する第１の記憶手段と、
着脱可能な不揮発性の第２の記憶手段と、
時間を計時する計時手段と、
前記第１の記憶手段に記憶されている所定の情報を前記第２の記憶手段に記憶させてから前記計時手段が所定の時間を計時する毎に、前記第１の記憶手段に記憶されている所定の情報を前記第２の記憶手段に記憶させる制御手段と、を備えたことを特徴とする携帯通信端末。
【請求項１３】
通常動作時に所定の情報を記憶する第１の記憶手段と、
記憶された情報を非接触通信により読み出せる第２の記憶手段と、
時間を計時する計時手段と、
前記第１の記憶手段に記憶されている所定の情報を前記第２の記憶手段に記憶させてから前記計時手段が所定の時間を計時する毎に、前記第１の記憶手段に記憶されている所定の情報を前記第２の記憶手段に記憶させる制御手段と、を備えたことを特徴とする携帯通信端末。
【請求項１４】
前記所定の情報は、電話帳情報であることを特徴とする請求項１２又は１３記載の携帯通信端末。
【請求項１５】
前記所定の情報は、発着信履歴情報であることを特徴とする請求項１２又は１３記載の携帯通信端末。
【請求項１６】
前記第２の記憶手段は、RFIDであることを特徴とする請求項１２又は１３記載の携帯通信端末。
【請求項１７】
通常動作時に所定の情報を記憶する第１の記憶手段と、記憶した情報を非接触通信により読み出せる第２の記憶手段と、時間を計時する計時手段と、前記第１の記憶手段に記憶されている所定の情報を前記第２の記憶手段に記憶させてから前記計時手段が所定の時間を計時する毎に、前記第１の記憶手段に記憶されている所定の情報を前記第２の記憶手段に記憶させる制御手段と、を備えた携帯通信端末と、
非接触通信により前記第２の記憶手段に記憶されている所定の情報を取得する取得手段と、該取得手段により取得した所定の情報に基づいて発信処理をする通信手段と、を備えた通信装置とから構成される通信システム。
【発明の詳細な説明】
【技術分野】
【０００１】
本発明は、電話帳情報や発着信履歴情報等を記憶する携帯電話機等の携帯通信端末と、この携帯通信端末から上記記憶された電話帳情報や発着信履歴情報等を外部から読み取る通信装置と、上記携帯通信端末及び通信装置から構成される通信システムに関するものである。
【背景技術】
【０００２】
従来の携帯通信端末に代表される携帯電話機においては、電話帳情報や発着信履歴情報等を内蔵のメモリに保持している。ユーザが電話をかけたい場合や、電話番号やメールアドレス等を調べたい場合には、携帯電話機を操作してメモリにアクセスし、電話帳や発着信履歴情報等の情報を検索することになる。しかしながら街中等で携帯電話機のバッテリが切れてしまい充電ができない場合は、電話番号やメールアドレス等を検索することができなくなってしまう。
【０００３】
この対策として、例えば携帯電話機に電話帳モードを設け、電池電圧が所定の電圧より低くなったか否かを判定し、低いと判定された場合、節電電話帳モードに移行して、表示器による電話帳表示に必要な機能以外を停止することで、最低限電話帳の内容を液晶表示によって確認できるようにした技術が提案されている。
【０００４】
また、従来より発信／着信記憶メモリに関する技術が提案されている（例えば、特許文献１参照）。
【特許文献１】特開２００１−２６８２０８号公報
【発明の開示】
【発明が解決しようとする課題】
【０００５】
しかしながらこの従来方法では、バッテリ電圧が所定値以下でも電話帳表示が可能な間は電話番号等を調べることができるが、バッテリ電圧がさらに下がりもはや液晶表示もできなくなった場合は、電話番号等を調べることはできなくなるという問題があった。また携帯電話機の液晶画面が破損して使用できなくなった場合や、携帯電話機が壊れてしまった場合等は、メモリから電話番号等を検索することができないという問題があった。
本発明は、携帯通信端末の電源が入らない状態や表示出来ない状態になった場合でも、外部の装置が携帯通信端末の電話帳、発着信履歴等の情報を読み取ることができるようにすることを課題とする。
【課題を解決するための手段】
【０００６】
本発明による携帯通信端末は、通常動作時に所定の情報を記憶する第１の記憶手段と、着脱可能な不揮発性の第２の記憶手段と、電池の残量を検出する検出手段と、電池残量が所定値より低いことが検出された場合、前記第１の記憶手段に記憶されている所定の情報を前記第２の記憶手段に記憶させる制御手段とを備えたことを特徴とするものである。
【０００７】
また、本発明による携帯通信端末は、通常動作時に所定の情報を記憶する第１の記憶手段と、記憶した情報を非接触通信により読み出せる第２の記憶手段と、電池の残量を検出する検出手段と、電池残量が所定値より低いことが検出された場合、前記第１の記憶手段に記憶されている所定の情報を前記第２の記憶手段に記憶させる制御手段とを備えたことを特徴とするものである。
【０００８】
また、本発明による通信システムは、通常動作時に所定の情報を記憶する第１の記憶手段と、記憶した情報を非接触通信により読み出せる第２の記憶手段と、電池の残量を検出する検出手段と、電池残量が所定値より低いことが検出された場合、前記第１の記憶手段に記憶されている所定の情報を前記第２の記憶手段に記憶させる制御手段とを備えた携帯通信端末と、前記第２の記憶手段に記憶されている所定の情報を非接触通信により取得する取得手段と、該取得手段により取得した所定の情報に基づいて発信処理をする通信手段とを備えた通信装置とから構成されるものである。
【０００９】
また、本発明による携帯通信端末は、通常動作時に所定の情報を記憶する第１の記憶手段と、着脱可能な不揮発性の第２の記憶手段と、発信又は着信を検出する検出手段と、該検出手段が発信又は着信を検出した場合、前記第１の記憶手段に記憶されている所定の情報を前記第２の記憶手段に記憶させる制御手段とを備えたことを特徴とするものである。
【００１０】
また、本発明による携帯通信端末は、通常動作時に所定の情報を記憶する第１の記憶手段と、記憶した情報を非接触通信により読み出せる第２の記憶手段と、発信又は着信を検出する検出手段と、該検出手段が発信又は着信を検出した場合、前記第１の記憶手段に記憶されている所定の情報を第２の記憶手段に記憶させる制御手段とを備えたことを特徴とするものである。
【００１１】
また、本発明による通信システムは、通常動作時に所定の情報を記憶する第１の記憶手段と、記憶した情報を非接触通信により読み出せる第２の記憶手段と、発信又は着信を検出する検出手段と、該検出手段が発信又は着信を検出した場合、前記第１の記憶手段に記憶されている所定の情報を前記第２の記憶手段に記憶させる制御手段とを備えた携帯通信端末と、非接触通信により前記第２の記憶手段に記憶されている所定の情報を取得する取得手段と、該取得手段により取得した所定の情報に基づいて発信処理をする通信手段とを備えた通信装置とから構成されるものである。
【００１２】
また、本発明による携帯通信端末は、通常動作時に所定の情報を記憶する第１の記憶手段と、着脱可能な不揮発性の第２の記憶手段と、時間を計時する計時手段と、前記第１の記憶手段に記憶されている所定の情報を第２の記憶手段に記憶させてから前記計時手段が所定の時間を計時する毎に、前記第１の記憶手段に記憶されている所定の情報を前記第２の記憶手段に記憶させる制御手段とを備えたことを特徴とするものである。
【００１３】
また、本発明による携帯通信端末は、通常動作時に所定の情報を記憶する第１の記憶手段と、記憶された情報を非接触通信により読み出せる第２の記憶手段と、時間を計時する計時手段と、前記第１の記憶手段に記憶されている所定の情報を前記第２の記憶手段に記憶させてから前記計時手段が所定の時間を計時する毎に、前記第１の記憶手段に記憶されている所定の情報を前記第２の記憶手段に記憶させる制御手段とを備えたことを特徴とするものである。
【発明の効果】
【００１４】
本発明によれば、携帯通信端末が使用できない場合でも、携帯通信端末が保持しているデータと同じ又は略同じデータを他の装置から読み出すことができる。
【発明を実施するための最良の形態】
【００１５】
以下、本発明の実施の形態を図面と共に説明する。
図１は本発明の第１、第２の実施の形態による通信システムを示すブロック図である。
本システムは、携帯通信端末としての携帯電話機１００と、外部装置としてのリーダ２００とにより構成される。本実施の形態においては、書き変え可能で電源無しに外部から非接触通信により読み取ることのできるデバイスとしてRFID（Radio Frequency Identification）を用いた場合を例に説明する。
【００１６】
携帯電話機１００は、アンテナ１、無線公衆網と通信を行う無線通信部（RF部）２、ベースバンド部３、制御部４、保持情報の書き換え可能なRFID部５、RFID部５のアンテナ６、記憶部７、操作部８、表示部９、バッテリ監視部１０、バッテリ１１から構成される。記憶部７には、相手先名とその電話番号を示す電話帳情報及び電話やメール等の発着信履歴情報等を含む所定の情報が記憶されている。またRFIDは、携帯電話機１００の筐体内壁の適宜箇所に接着されている。
リーダ２００は、上記アンテナ６と通信するアンテナ２１、RFID部５と通信を行う無線通信部（RF部）２２、制御部２３、記憶部２４、操作部２５、表示部２６から構成される。
【００１７】
次に、上記構成による第１の実施の形態の動作について図２のフローチャートを参照して説明する。
図１、図２において、制御部４はバッテリ監視部１０を通してバッテリ１１の電圧を確認し（ステップ２０）、このバッテリ電圧と所定の閾値とを比較する（ステップ２１）。閾値よりバッテリ電圧が大きいと判定された場合は、再びステップ２０に戻ってバッテリ電圧の監視を続ける。
【００１８】
バッテリ電圧が閾値よりも小さいと判定された場合は、制御部４は記憶部７の所定情報のうちRFID部５に書き込むべき電話番号等の情報がユーザにより予め設定されているか否かを判定する（ステップ２２）。設定されていると判定された場合は、制御部４は記憶部７よりRFID部５に書き込むべき電話番号等を読み出し、これをRFID部５の記憶領域に書き込む（ステップ２３）。ステップ２２で設定されていないと判定された場合は、制御部４は記憶部７から発着信頻度の高い電話番号、発着信履歴をRFID部５の記憶領域に書き込む（ステップ２４）。この読み出し、書き込みに要する電力はバッテリ１１の残量電力が利用される。
尚、ユーザの設定がなくても、バッテリ電圧の低下に伴って所定の情報（発着信履歴や新規登録データ等）をRFID部５に記憶するようにしてもよい。
【００１９】
RFID部５に書き込まれた情報は、バッテリ１１の電圧がさらに小さくなって携帯電話機１００が自力で読み出すことができなくなっても、リーダ２００を用いて外部から非接触通信により読み出すことができる。ユーザがリーダ２００の操作部２５を操作することにより、無線通信部２２より所定周波数の電波がアンテナ２１を介して発信され、携帯電話機１００のアンテナ６で受信される。これによりRFID部５に電力が発生し、この電力を利用してRFID部５に書き込まれた情報をリーダ２００に送信する。制御部２３はこのようにして取得した情報を表示部２６で表示させる。この情報は必要に応じて記憶部２４に記憶される。
【００２０】
以上の処理によれば、携帯電話機１００がバッテリ切れや故障の場合でも、記憶部７に予め設定して置いた電話番号、メールアドレスあるいは発着信頻度の高い電話帳や発着信履歴等の情報をリーダ２００を用いて外部から読み出すことができる。尚、発着信頻度の高さは、例えば、発信または着信回数や所定期間における発信または着信回数などに依存する。また発着信頻度とは、発信頻度、着信頻度またはその両方の頻度の組み合わせでも良い。
【００２１】
次に、第２の実施の形態の動作について図３のフローチャートを参照して説明する。
制御部４は、携帯電話機１００からの発信や、携帯電話機１００への着信があると（ステップ３０）、記憶部７を検索し、電話番号やメールアドレス等に基づいて各情報の発着信頻度を更新する（ステップ３１）。ここで、発着信頻度とは、上述と同様に発信した頻度や着信した頻度を示すものであって、例えば発信回数や着信回数をカウントすることにより表すことができる。
尚、本実施の形態では、発信回数や着信回数の高い上位数件がRFID部５に書き込まれているものとする。
【００２２】
次に、上記ステップ３１の後に、RFID部５に書き込まれている数件と上記更新した後の発着信頻度の高い上位数件とを比較する（ステップ３２）。この比較の結果、RFID部５に書き込まれている数件と上記更新した後の発着信頻度の高い上位数件とが一致しない場合、制御部４は上記更新した後の発着信頻度の高い上位数件をRFID部５に書き込む（ステップ３３）。
【００２３】
以上の処理によれば、常に新しい発着信頻度の高い上位数件をRFID部５に書き込むことができ、バッテリが切れてしまった場合や、携帯電話機１００の故障等でユーザの操作により電話番号等の検索ができなくなってしまった場合にも、リーダ２００を用いて外部から最低限の電話番号やメールアドレス等の情報を取り出すことができる。尚第２の実施の形態のステップ３２とステップ３３は第１の実施の形態の図２のステップ２４に応用することも出来る。
【００２４】
次に、リーダ２００を有する通信装置を使用する場合の第３の実施の形態について図
４を参照して説明する。
図４は本発明の第３の実施の形態による通信システムを示すブロック図であり、図１と対応する部分には同一番号を付して重複する説明は省略する。
図４の通信システムは、携帯通信端末としての携帯電話機１００と、公衆回線に接続可能であってリーダ２００を有する通信装置３００とにより構成される。
通信装置３００は、図１のリーダ２００に公衆回線に接続可能な通信部２７を備えたものである。公衆回線に接続する通信部２７は有線回線でも無線回線でもよい。従って、本実施の形態による通信装置３００は、例えば、リーダ２００を有する家庭用電話機、公衆電話機、携帯電話機、パソコン等の装置であるが、これらに限定するものでなく、同等の機能を有する装置であればよい。
【００２５】
次に、この通信システムの動作について説明する。
携帯電話機１００が故障やバッテリ切れにより、記憶部７の情報を視聴することができない場合、通信装置３００をデータ取得モード（携帯電話機１００のRFID部５の情報を取得するための動作モード）に設定し、携帯電話機１００を通信装置３００に近づける。
通信装置３００は無線通信部２２により所定周波数の電波をアンテナ２１を介して発信し、近づいた携帯電話機１００はこの電波をアンテナ６で受信する。これにより、携帯電話機１００のRFID部5に電力が発生し、この電力を利用してRFID部５に書き込まれていた情報が通信装置３００に送信される。通信装置３００の制御部２３は、携帯電話機１００から受信した情報を記憶部２４に記憶し、表示部２６に表示する。そして、ユーザの操作に基づいて表示部２６に表示されている情報に応じた回線接続が通信部２７を介して行われる。例えば、受信した情報が電話番号の場合は、その電話番号に電話をかけたり、受信した情報がメールアドレスの場合は、そのメールアドレスを宛名に設定してメールを作成して送信したりすることができる。
【００２６】
次に、携帯電話機１００が不揮発性の記憶媒体に情報を記憶する場合の第４の実施の形態について図５を参照して説明する。
図５は本発明の第４の実施の形態による通信システムを示すブロック図であり、図１と対応する部分には同一番号を付して重複する説明は省略する。
図５の通信システムは、携帯通信端末としての携帯電話機１００と、外部装置としてのリーダ４００とにより構成される。
携帯電話機１００は、図１のアンテナ６、RFID部５に代えてカードインターフェース１２を備えたものである。カードインターフェース１２は、不揮発性メモリであるカード１３のデータのリード／ライトを行う。また、リーダ４００は、図１のアンテナ２１、無線通信部２２に代えてカード１３のデータのリード／ライトを行うためのカードインターフェース２８を備えたものである。尚、リーダ４００は公衆回線に接続する通信部（有線回線でも無線回線でもよい）を備えていてもよい。
【００２７】
本実施の形態による通信システムの動作については、図２及び図３に示すRFID部５に情報を書き込む場合と同様に、カードインターフェース１２を介してカード１３に情報が書き込まれる。そして、携帯電話機１００が故障やバッテリ切れにより、記憶部７の情報を視聴することができない場合、携帯電話機１００に対して着脱可能なカード１３を携帯電話機１００から取り外してリーダ４００に取り付けることにより、カードインターフェース２８を介してリーダ４００によりカード１３のデータを得ることができる。また、リーダ４００が図４のような通信部２７を備えている場合は、この通信部２７を介して公衆網に発信することができる。
【００２８】
尚、RFID部５、カード１３に書き込まれている情報は、電話帳データなどに代表される発信相手の管理データが好ましいが、書き込み時間やデータ量を考慮すれば、発信履歴データや着信履歴データ等の方がデータ量も少なく且つ頻繁に連絡をとる相手先の情報が取得できてより好ましい。また、電話帳データの一部（使用頻度の高い数件）でもデータ量が少なくて頻繁に連絡をとる相手先の情報が取得できて好ましい。尚、上記に限らず、必要な情報を全て書き込んでいても本発明の趣旨を逸するものではない。また、発信履歴データ、着信履歴データは電話番号に限らず、メールアドレスなど相手先を識別する情報であればよい。
【００２９】
また、セキュリティ保持のためには、
・機械的なスイッチ、あるいはRFID動作時に発生する誘起電圧による電気的、ソフト的なスイッチを用いてRFIDの読み取りをON/OFFする。
・携帯電話機１００のバッテリ１１の充電が始まった時点で、RFIDの記録内容を消去する。
などの方法をとってもよい。
【００３０】
以上に説明した第１の実施の形態では、バッテリの電源電圧が閾値よりも低くなった場合、第２の実施の形態では、発着信動作があった場合について説明したが、さらに第５の実施の形態として、タイマーを設け（図示せず）前回書き換えより一定時間経過する毎にその時の発信／着信頻度の高い電話番号、発着信履歴等の情報をRFIDや不揮発性メモリに書き込みを行ってもよく、あるいはユーザの操作により書き込むようにしてもよい。
【００３１】
また、バッテリ電圧低下のときにRFID部５等の第２の記憶手段に記録する情報を「発着信履歴情報」に限定することにより、第２の記憶手段に記憶させる情報量を少なく抑え、バッテリ１１の残量を有効に利用して確実に記憶させることができる。
また、通話中にバッテリ電圧が低下して電話が切れたとしても、「発着信履歴情報」が記録されていれば他の電話機を用いて直ぐに電話をかけなおすことができる。また、「発着信履歴情報」だけでも記録しておけば、頻繁に連絡している相手の情報（電話番号やメールアドレス等）を確認することができるので、携帯通信端末を充電するまでの間に必要な情報としては十分である。
【００３２】
尚、本発明における携帯通信端末は、携帯電話機や携帯情報端末等を含むものである。
【図面の簡単な説明】
【００３３】
【図１】本発明の第１、第２の実施の形態による通信システムを示すブロック図である。
【図２】本発明の第１の実施の形態によるバッテリ電圧低下時の動作を示すフローチャートである。
【図３】本発明の第２の実施の形態による発着信があった場合の動作を示すフローチャートである。
【図４】本発明の第３の実施の形態による通信システムを示すブロック図である。
【図５】本発明の第４の実施の形態による通信システムを示すブロック図である。
【符号の説明】
【００３４】
１００  携帯電話機
２００  リーダ
１  アンテナ
２  無線通信部
４  制御部
５  RFID部
６  アンテナ
７  記憶部
８  操作部
９  表示部
１０  バッテリ監視部
１１  バッテリ
１２  カードインターフェース
１３  カード
２１  アンテナ
２２  無線通信部
２３  制御部
２５  操作部
２６  表示部
２７  通信部
２８  カードインターフェース
【図１】
2005217621.tif 000003
【図２】
2005217621.tif 000004
【図３】
2005217621.tif 000005
【図４】
2005217621.tif 000006
【図５】
2005217621.tif 000007